(57)【特許請求の範囲】
【請求項１】
複数の基地局を含む無線システム（１００）においてＤＳ−ＣＤＭＡ信号を受信するように構成された無線電話機（１０４）であって、各基地局（１０２）は、既知の疑似ランダム・ノイズ（ＰＮ）シーケンスの固有の開始位相によって識別され、前記無線電話機は：
複数の受信フィンガ（１２２，１２４，１２６）を有するレーキ受信機（１１２）；
前記複数の基地局からのパイロット信号を検出する受信探索子（１１４）であって、検出されたＰＮシーケンスおよび基地局においてコードを拡散するために利用されるＰＮシーケンスよりも短いＰＮシーケンスを比較し（２０６，３０２，４０４）、応答を生成するマッチド・フィルタ（１２８）を含む受信探索子（１２８）；および
前記受信探索子および前記レーキ受信機に結合されるコントローラ（１１６）であって、該コントローラは前記応答を格納応答として格納するメモリ（１３２）を含み、前記格納応答に応答して、前記複数の受信フィンガを制御するコントローラ（１１６）；
から成ることを特徴とする無線電話機（１０４）。
【請求項２】
前記パイロット信号は直交変調され、前記パイロット信号の各々は同相（Ｉ）シンボルおよび直交位相（Ｑ）シンボルを含み、前記ＩシンボルはＩＰＮシーケンスを用いて拡散され、前記ＱシンボルはＱＰＮシーケンスを用いて拡散され、前記マッチド・フィルタは、検出されたＩＰＮシーケンスおよび格納されているＩＰＮシーケンスを比較するＩフィルタ（１４０）と、検出されたＱＰＮシーケンスおよび格納されているＱＰＮシーケンスを比較し応答を生成するＱフィルタ（１４２）とを含むことを特徴とする請求項１記載の無線電話機。
【請求項３】
前記マッチド・フィルタは、前記応答が所定のスレシホルドを越えない場合、該応答を抑制する比較器（１４６）を含むことを特徴とする請求項１記載の無線電話機。
【請求項４】
前記コントローラは、前記応答に基づいて、ＤＳ−ＣＤＭＡ信号（２０８）の存在を判定することを特徴とする請求項１記載の無線電話機。
【請求項５】
前記コントローラは、前記応答に基づいて、最も強いＤＳ−ＣＤＭＡパイロット信号を識別するように構成され、前記コントローラは、前記最も強いＤＳ−ＣＤＭＡパイロット信号（２１８）によって識別された基地局との通信を開始することを特徴とする請求項１記載の無線電話機。
【請求項６】
前記無線電話機は、周期的にアクティブ・モード（３２２）によって割り込まれる低電力モード（３１８）に維持され、前記コントローラは、前記アクティブ・モードに入るとき、前記応答に基づいて最も強いＤＳ−ＣＤＭＡパイロット信号（３０４）を識別することを特徴とする請求項１記載の無線電話。
【請求項７】
前記受信探索子は、基地局から発した１つ以上の電波を検出するように構成され、前記コントローラは、前記応答に基づいて１つ以上の最も強い電波を識別し、前記コントローラは、前記１つ以上の最も強い電波（４０８）に各受信フィンガを割り当て、前記基地局によって送信されたページング・チャネルを検出することを特徴とする請求項６記載の無線電話機。
【請求項８】
前記受信探索子は、複数のパイロット信号を、同様の複数の基地局から検出するように構成され、前記コントローラは前記応答に基づいて２つ以上の最も強いパイロット信号を識別し、前記コントローラは前記２つ以上の最も強いパイロット信号に各受信フィンガを割り当て、前記複数の基地局からのトラフィック・チャネルを受信しつつ、ソフト・ハンドオフを制御することを特徴とする請求項１記載の無線電話機。
【請求項９】
前記コントローラは、前記応答に基づいて、基地局からの最も強い電波を識別するように構成され、前記コントローラは前記最も強いパイロット信号に受信フィンガを割り当て、前記コントローラは、続いて、前記応答に基づいて前記基地局からの１つ以上の他の強いパイロット信号を識別し、前記コントローラは前記１つ以上の強い電波に１つ以上の各受信フィンガを割り当てることを特徴とする請求項１記載の無線電話機。
【請求項１０】
通信システムにおけるＤＳ−ＣＤＭＡ信号の検出方法であって：
パイロット信号（２０６）を検出する段階であって、各々、基地局によってコードを拡散するために利用される擬似ランダム・ノイズ（ＰＮ）シーケンスよりも短い擬似ランダム・ノイズによってカバーされる前記パイロット信号（２０６）を検出する段階；
マッチド・フィルタを用いて、基地局においてコードを拡散するために利用されるＰＮシーケンスよりも短いＰＮシーケンスおよび所定のＰＮシーケンス（２０６）を比較する段階；および
基地局においてコードを拡散するために利用されるＰＮシーケンスよりも短いＰＮシーケンスが前記所定のＰＮシーケンスと整合した場合、整合信号を生成する段階；
から成ることを特徴とする方法。
【発明の詳細な説明】
【０００１】
【発明の属する技術分野】
本発明は、一般的にデジタル通信に関する。更に特定すれば、本発明は、符号分割多重アクセス（ＣＤＭＡ）セルラ電話システムのような、スペクトラム拡散通信システムにおけるパイロット・チャネル獲得方法および装置に関するものである。
【０００２】
【従来の技術】
直接拡散符号分割多重アクセス（ＤＳ−ＣＤＭＡ：direct sequence code division multiple access ）通信システムは、８００ＭＨｚで動作するセルラ電話システム，および１８００ＭＨｚのパーソナル通信システム（ＰＣＳ）周波数帯域における使用のために提案された。ＤＳ−ＣＤＭＡシステムでは、全セル内の全基地局が同一無線周波数を用いて通信を行う。基地局は、固有に割り当てられた拡散コードによって、システム内において個々に識別される。全基地局では、２15ビット長の２つの指定された疑似ランダム・ノイズ（ＰＮ）シーケンスが用いられる。直交変調システムでは、一方のシーケンスはＩチャネル・シンボルの同相（Ｉ）チャネル拡散に用いられ、他方はＱチャネル・シンボルの直交（Ｑ）チャネル拡散に用いられる。このシステムにおける移動局は、同じ２つの２15ビット長拡散コードを有し、これらを用いてＩチャネルおよびＱチャネルの初期逆拡散を行う。
【０００３】
ＩチャネルおよびＱチャネル上で拡散を行う前に、送信用シンボルは、６２次のアダマ−ル行列(a dimension-64 Hadamard matrix)の１行を用いて拡散される。これは、ウォルシュ・カバリング(Walsh covering)と呼ばれるプロセスである。呼においては、各移動局にはアダマ−ル・マトリクスの異なる行が使用されていると仮定し、基地サイトによって各移動局に固有のウォルシュ・コードが割り当てられ、所与のセル内の各移動局への送信が、１つ置きの移動局への送信に対して直交することを保証する。このようにして、基地局および移動局間の双方向通信のために、トラフィック・チャネルが確立される。
【０００４】
トラフィック・チャネルに加えて、各基地局は、パイロット・チャネル，同期チャネル，およびページング・チャネルを同報通信する。パイロット・チャネルは、ウォルシュ・コード０によってカバーされる一定レベルの信号によって形成され、全てゼロで構成される。パイロット・チャネルは、範囲内の全移動局によって共通に受信され、移動局はこれを用いて、ＣＤＭＡシステムの存在の確認，初期システム獲得，アイドル・モード・ハンドオフ，通信対象基地局および干渉基地局の初期電波(initial ray) および遅延電波(delayed ray) の識別，および同期チャネル，ページング・チャネル，およびトラフィック・チャネルのコヒーレントな復調を行う。
【０００５】
全ての基地局は同一のＰＮシーケンスを用いてＩチャネルおよびＱチャネルを拡散するので、ＰＮシーケンスに対する固有の開始位相を用いることによって、基地局は唯一に識別される。この開始位相のことを、開始時間または位相シフトとも呼ぶ。シーケンスは、毎秒１．２２８８メガチップのチップ・レートで生成されるので、２６−２／３ミリ秒毎に繰り返す。最少時間分離(minimum time separations)は、６４チップ長であり、基地局に合計５１２の異なるＰＮコード位相を割り当てることができる。他に許されている時間分離は、６４チップに２の倍数を乗算した値である。
【０００６】
移動局では、受信したＲＦ信号は、近隣の全基地局からのパイロット・チャネル，同期チャネル，ページング・チャネル，およびトラフィック・チャネルを含む。移動局は、最も強いパイロット・チャネルを有する基地局からのパイロット信号を含む受信可能な全パイロット信号を識別しなければならない。従来の移動局では、相関器(correlator)を受信機のパイロット探索素子として用い、受信可能なパイロットのＰＮ位相を直列的に探索していた。移動局が通信する基地局（群）のＩチャネルおよびＱチャネルの拡散ＰＮ位相がわかれば、当該基地局によって送信されるその他のコード・チャネル全てのコヒーレントな検出が可能となる。ＩチャネルおよびＱチャネルの拡散ＰＮ位相が不正確な場合、残りのコード・チャネルを復調するためにこれを用いても、相関器からは出力が生成されない。
【０００７】
ＩチャネルおよびＱチャネルの拡散ＰＮシーケンス位相空間は大きいので、従来技術の直列相関技法は、正しくパイロット信号エネルギを探し出すために、受け入れ難い程長い時間を要していた。最短でも、移動局の電源投入時に、強い信号で２．５秒を要する。受信可能なパイロットがない場合、１５秒程度のシステム・タイム・アウトが発生するまで、移動局はＩチャネルおよびＱチャネルのＰＮシーケンスの位相空間全体を探索し続けることになる。次いで、移動局は他のＲＦ周波数に移り、再びＣＤＭＡシステムを獲得しようとする。このため、可能なＲＦチャネルの割り当て時にはいつでも、ＣＤＭＡパイロットが受信可能であるか否かを素早く確認することが重要となる。
【０００８】
システム獲得における長時間の遅延は、殆どのユーザにとって不便であり望ましくないものである。ユーザは無線電話機をオンにすると、最短の遅延で、直ちに無線電話機が使用可能となることを期待する。２．５秒程度の遅延でさえも、多くのユーザには長過ぎであり、それよりも長い遅延が生じれば、例えば、緊急の「９１１」を呼び出す等、重大な結果をもたらしかねない。従来技術の方法では、全ての拡散ＰＮシーケンス位相を相関付けるため、長い遅延は従来のＤＳ−ＣＤＭＡ移動局には固有のものとなっている。
【０００９】
従来技術のパイロット・チャネル探索方法では、更に、初期システム獲得の後も、パイロット・チャネルのその他の使用全般にわたって制限がある。典型的なＤＳ−ＣＤＭＡ移動局受信機は、３つ以上の独立制御されるフィンガを有するレーキ受信機(rake receiver) を利用している。これらのフィンガは、受信機のパイロット位相探索素子によって決定されるパイロット・チャネル位相の知識を用いて、正しいＰＮシーケンス位相に時間整合される。レーキ・フィンガは通常、全通信基地局から受信される最も強い電波に割り当てられる。最も強い電波は、受信機のパイロット位相探索素子によって決定される。電波の割り当ては、パイロット位相探索素子の情報を用いて、保守プロセスにおいて更新される。パイロット位相探索素子が低速で、そのために最も強い電波をレーキ・フィンガに割り当てる保守動作も遅くなると、移動局の受信性能がフェーディング状態の下で低下する。
【００１０】
アイドル・ハンドオフ(idle hand-off) は、パイロット検出素子によって識別された最も強いパイロットを有する基地局のページング・チャネルに注目し、これを聴取するプロセスである。移動局がページを受信する場合またはシステムにアクセスして発呼する場合、移動局が最も強い受信パイロットに関連する基地局からのページを聴取する、即ち、この基地局にアクセスを試みることは重要である。このためには、特に、移動局が移動中の場合には、高速のパイロット位相探索素子が必要となる。
【００１１】
バッテリ給電式の携帯移動局では、ページを待機している間バッテリの充電量を保存することも重要である。ＤＳ−ＣＤＭＡはスロット・モード(slotted mode)を備えており、携帯局に割り当てられたページング・スロット情報が基地局から送信されている期間を除いて、携帯局の給電を停止可能としている。ページング・スロット間隔を１．２８秒程度に短くし、１．２８秒に２のべき乗を乗算した期間、バッテリを更に節約することができる。これらの間隔の間、移動局は低電力モードで「休止」する。
【００１２】
【発明が解決しようとする課題】
移動局は、起動する毎に、２０カ所もの基地局の可能な位相空間を探索しなければならないこともある。起動後にページング・スロットを確実に受信するためには、移動局は、適当な信号強度を与えている基地局を聴取していなければならない。移動局が移動中の場合、デコードすべき正しい基地局は、あるページング間隔から次のページング間隔の間に容易に変化する可能性がある。したがって、高速パイロット探索機構を有し、割り当てられたページング・スロットの開始前に正しい基地局のパイロットを識別することは非常に重要である。従来のパイロット探索機構を用いる場合、携帯局は、ページング・スロットよりもかなり前に起動し、ＰＮシーケンスの位相空間を連続的に探索する十分な時間を与えなければならない。このため、スロット・モードで得ることができる潜在的なバッテリの節約は大部分が無効となる。
【００１３】
従来技術の探索機構の低い処理能力は、移動局のソフト・ハンドオフ性能(soft handoff performance)にも影響を与える。トラフィック・チャネル上の呼において、従来技術のパイロット探索機構は、トラフィック・チャネルの最適な変調のために適正なレーキ・フィンガの割り当てを維持し、干渉する基地サイトを識別するために用いられる。干渉する基地サイトを発見した場合、これは、移動局から基地局に、ソフト・ハンドオフの候補として報告される。ソフト・ハンドオフとは、移動局が同時に１カ所以上の基地サイトと通信している、ＤＳ−ＣＤＭＡシステムの状態のことである。移動局が移動中の場合、従来技術の探索機構は、時として、レーキ・フィンガの最適化または新たな強い干渉基地局の識別のいずれかが余りに遅く、過度な通信エラーや、おそらくは、ＲＦ障害構造に沿って角を曲がる場合に起こり得る、突然の強い干渉による呼の中断の原因となる。
【００１４】
したがって、同期チャネル，ページング・チャネル，およびトラフィック・チャネルのコヒーレントな復調ならびにソフト・ハンドオフの目的のために、パイロット・チャネルを用いてのＤＳ−ＣＤＭＡシステムの存在の確認，初期システム獲得，アイドル・モード・ハンドオフ，スロット・モードのバッテリ節約，ならびに通信対象基地局および干渉基地局の初期電波および遅延電波の識別に対する移動局の性能向上を図った、高速かつ高精度のパイロット探索機構が必要とされている。
【００１５】
【課題を解決するための手段】
本発明は、ＣＤＭＡ無線電話機において、マッチド・フィルタを用いて迅速にパイロット・チャネルを獲得する方法および装置を提供する。基地局およびその他の近隣の基地局からの受信可能な全送信のパイロット・エネルギを捕獲するマッチド・フィルタを含む受信探索子を用いて、ＣＤＭＡ通信システムの無線電話機の処理能力を強化し、迅速にパイロット・チャネルを獲得する。検出されたＰＮシーケンスは、無線電話機に格納されている所定のＰＮシーケンスと比較される。所定のＰＮシーケンスは、例えば、同相チャネルおよび直交位相チャネルを拡散するために用いられる短いＰＮシーケンスにおける最後の５１２チップを含む。
【００１６】
新規であることを確信する本発明の特徴は、特許請求の範囲に特定して記載されている。本発明、ならびにその目的および利点は、添付図面に関連付け以下の説明を参照することによって、最良に理解することができよう。尚、図面では、同様の参照番号が同一素子を識別するために用いられている図がある。
【００１７】
【発明の実施の形態】
まず図１を参照すると、通信システム１００は、無線電話機１０４のような１台以上の移動局と無線通信するように構成された、基地局１０２のような複数の基地局を含む。無線電話機１０４は、直接拡散符号分割多重化アクセス（ＤＳ−ＣＤＭＡ）信号の受信および送信を行い、基地局１０２を含む複数の基地局と通信するように構成されている。図示の実施例では、通信システム１００は、ＴＩＡ／ＥＩＡインターリム規格ＩＳ−９５、"Mobile Station-Base Station Compatibility Standard for Dual-Mode Wideband Spread Spectrum Cellular System" に準拠し、８００ＭＨｚで動作する。あるいは、通信システム１００は、１８００ＭＨｚのＰＣＳシステムを含む、他のＤＳ−ＣＤＭＡシステムに準拠して動作することも可能である。
【００１８】
基地局１０２はスペクトラム拡散信号を無線電話機１０４に送信する。トラフィック・チャネル上のシンボルは、ウォルシュ・カバリングとして知られているプロセスにおいて、疑似ランダム・ノイズ（ＰＮ）ウォルシュ・コードを用いて拡散される。無線電話機１０４のような各移動局には、基地局１０２によって固有のウォルシュ・コードが割り当てられており、各移動局に対するトラフィック・チャネルの送信は、１つ置きの移動局に対するトラフィック・チャネルの送信に対して直交となる。拡散信号は直交変調され、同相（Ｉ）信号および直交位相（Ｑ）信号を形成する。Ｉ信号およびＱ信号は各々、長さが２15ビットの指定された２つのＰＮシーケンスを用いて拡散される。通信システム１００内の全基地局によって、同一のＩ拡散シーケンスおよびＱ拡散シーケンスが用いられる。
【００１９】
トラフィック・チャネルに加えて、基地局１０２は、パイロット・チャネル，同期チャネルおよびページング・チャネルも同報通信する。パイロット・チャネルは、ウォルシュ・コードによってカバーされる一定レベル信号によって形成され、全てゼロで構成される。パイロット・チャネルは、範囲内にある全移動局によって共通に受信され、無線電話機１０４がこれを用いて、ＣＤＭＡシステムの存在確認，初期システム獲得，アイドル・モード・ハンドオフ，通信対象基地局および干渉基地局の初期電波および遅延電波，ならびに同期チャネル，ページング・チャネル，およびトラフィック・チャネルのコヒーレント復調を行う。同期チャネルは、移動局のタイミングを基地局のタイミングに同期させるために用いられる。ページング・チャネルは、基地局１０２から無線電話機１０４を含む移動局にページング情報を送るために用いられる。
【００２０】
全ての基地局は同一のＰＮシーケンスを用いてＩチャネルおよびＱチャネルを拡散するので、通信システム内の基地局１０２および全基地局は、固有の開始位相を用いることによって、個々に識別される。この開始位相のことを、ＩおよびＱのＰＮシーケンスの開始時間または位相シフトとも呼ぶ。シーケンスは、毎秒１．２２８８メガチップのチップ・レートで生成され、したがって２６−２／３ミリ秒毎に繰り返す。許される最少時間分離は６４チップであり、合計で５１２の異なるＰＮコード位相の割り当てが可能である。拡散ＩチャネルおよびＱチャネルは無線周波数（ＲＦ）キャリアを変調し、基地局１０２が担当する地理的領域内にある、無線電話機１０４を含む全移動局に送信される。
【００２１】
無線電話機１０４は、アンテナ１０６，アナログ・フロント・エンド１０８，アナログ／デジタル変換器（ＡＤＣ）１１０，レーキ受信機１１２および受信探索子１１４を含む受信経路，コントローラ１１６，ならびに送信路回路１１８およびデジタル／アナログ変換器１２０を含む送信経路から成る。アンテナ１０６は基地局１０２および近隣にある他の基地局からＲＦ信号を受信する。受信したＲＦ信号の内いくつかは直接送信される。即ち、基地局によって送信される見通し電波(line of sight rays)である。他の受信ＲＦ信号は反射電波であり、時間的に遅延している。
【００２２】
受信ＲＦ信号は、アンテナ１０６によって電気信号に変換され、アナログ・フロント・エンド１０８に供給される。アナログ・フロント・エンド１０６はこれらの信号を濾波し、ベースバンドＩおよびＱ信号への変換を行う。アナログ・ベースバンドＩおよびＱ信号はＡＤＣ１１０に供給され、これらをＩおよびＱデジタル・データのストリームに変換し、更に処理を行う。
【００２３】
レーキ受信機１１２は、受信フィンガ１２２，受信フィンガ１２４および受信フィンガ１２６を含む、複数の受信フィンガを有する。図示の実施例では、レーキ受信機１１２は３つの受信フィンガを含む。しかしながら、適切な数であれば、受信フィンガはいくつでも使用可能である。受信フィンガは従来の設計通りである。以下で説明するように、レーキ受信機１１２の受信フィンガは、コントローラ１１６によって制御される。コントローラ１１６は、メモリ１３２およびクロック１３４を含む。クロック１３４は、無線電話機１０４のタイミングを制御する。例えば、クロック１３４はチップ・クロック信号を確立し、無線電話機１０４全体における受信ＰＮシーケンスの処理タイミングを制御する。チップ・クロック信号は、チップ・レートの２倍とすることが好ましい。
【００２４】
受信探索子１１４は、基地局１０２を含む複数の基地局から無線電話機１０４によって受信されるパイロット信号を検出する。本発明によれば、受信探索子１１４は、マッチド・フィルタ１２８およびメモリ１３０を含む。マッチド・フィルタ１２８は、ＡＤＣ１１０から受信した検出ＩおよびＱのＰＮシーケンスを、メモリに格納されている所定のＰＮシーケンスと比較し、応答を生成する。好適実施例では、所定のＰＮシーケンスがメモリ１３０に格納されている。
【００２５】
マッチド・フィルタ１２８はＡＤＣ１１０からＩおよびＱデータ・ストリームを受信する。データは、基地局１０２から受信した拡散直交変調信号に対応し、直接受信した電波即ち初期電波、および時間遅延を有する反射電波を含む。加えて、このデータは、通信システム１００内にある他の基地局から受信した、直接および反射拡散直交変調信号にも対応する。データは、基地局１０２および他の善基地局においてＩチャネルおよびＱチャネルの拡散を行うために用いられるＰＮシーケンスを含む。
【００２６】
マッチド・フィルタ１２８は、検出したＩおよびＱＰＮシーケンスを、所定のＰＮシーケンスと比較する。所定のＰＮシーケンスは、全基地局においてＩチャネルおよびＱチャネルを拡散する際に用いられる２15要素の短いＰＮシーケンスの一部に対応する。無線電話機１０４は、メモリ１３０またはメモリ１３２のような記憶素子を含み、ＰＮ値の固定パターンを格納する。所定のＰＮシーケンスは、この固定パターンを含む。一実施例では、この固定パターンは、例えば、短いＰＮシーケンスのような、所定数のＰＮシーケンスのチップ、例えば、ＰＮシーケンスの最後の５１２チップを含む。他の実施例では、コントローラ１１６は可変パターンを受信探索子１１４に供給する。可変パターンは、ＰＮシーケンスの最後の５１２チップのような、所定数のＰＮシーケンスのチップから成る。
【００２７】
図示の実施例では、パイロット信号は、同相（Ｉ）シンボルおよび直交位相（Ｑ）シンボルを含むパイロット信号の各々によって、直交変調される。Ｉシンボルは、ＩＰＮシーケンスを用いて拡散され、ＱシンボルはＱＰＮシーケンスを用いて拡散される。したがって、マッチド・フィルタ１２８は、検出したＩＰＮシーケンスおよび格納されているＩＰＮシーケンスを比較するＩフィルタ１４０，ならびに検出したＱＰＮシーケンスおよび格納されているＱＰＮシーケンスを比較し、応答を生成するＱフィルタ１４２を含む。一実施例では、格納されているＩＰＮシーケンスの一部は第１固定パターンから成り、記憶されているＱＰＮシーケンスの一部は第２固定パターンから成る。例えば、第１固定パターンは、ＩＰＮシーケンスの最後の５１２チップから成り、第２固定パターンはＱＰＮシーケンスの最後の５１２チップからなる。これは、２15要素の短いＰＮシーケンスと同様である。
【００２８】
Ｉフィルタ１４０およびＱフィルタ１４２は、各々応答を生成する。Ｉフィルタ１４０およびＱフィルタ１４２の応答のいずれかまたは双方は、マッチド・フィルタ１２８の応答として用いることができる。双方の応答を用いると、マッチド・フィルタ１２８の応答の質が向上する。図示の実施例では、加算素子１４４が、Ｉフィルタ１４０の応答およびＱフィルタ１４２の応答を結合し、マッチド・フィルタ１２８の応答を生成する。応答が所定のスレシホルドを上回らない場合、比較器１４６がこの応答を抑制する。例えば、ＣＤＭＡシステムがない場合またはノイズのみがある場合でも、マッチド・フィルタ１２８は連続して応答を生成する。スレシホルドを所定値に設定し、無意味の入力シンボルが受信された場合に、メモリ１３０に応答が格納されるのを防止する。
【００２９】
マッチド・フィルタ１２８は、検出されたＰＮシーケンスおよび所定のＰＮシーケンスの比較に対する応答を与える。この応答は、例えば、メモリ１３０またはメモリ１３２に格納される。図示の実施例では、応答は二重バッファ(double buffer) される。即ち、応答が決定されると、マッチド・フィルタ１２８はその応答を（メモリ１３０のような）第１のメモリ位置集合に格納する。コントローラ１１６は、格納されている応答を、（メモリ１３２のような）第２のメモリ位置集合から読み出す。各メモリは、２６−２／３ｍｓの応答値を含む。各２６−２／３ｍｓの探索期間の後、第１のメモリ位置集合の内容は第２のメモリ位置集合に転送され、第１のメモリ位置集合の内容は新しいデータで上書きされる。
【００３０】
以下で更に詳細に論ずるが、コントローラ１１６およびマッチド・フィルタ１２８を含む受信探索子１１４は、同期チャネル，ページング・チャネル，およびトラフィック・チャネルのコヒーレントな復調ならびにソフト・ハンドオフの目的のために、パイロット・チャネルを用いてのＤＳ−ＣＤＭＡシステムの存在の確認，初期システム獲得，アイドル・モード・ハンドオフ，スロット・モードでのバッテリ節約，ならびに通信対象基地局および干渉基地局の初期電波および遅延電波の識別のために用いられる。
【００３１】
コントローラ１１６は、前述の応答に基づいて、ＤＣＳ−ＣＤＭＡ信号の存在を判定する。また、図示の実施例では、コントローラ１１６は、応答に基づいて最も強いＤＳ−ＣＤＭＡパイロット信号を識別するように構成されている。コントローラ１１６は、最も強いＤＳ−ＣＤＭＡパイロット信号によって識別された基地局と通信を開始する。
【００３２】
図示の実施例では、無線電話機は、周期的にアクティブ・モードによって中断される、低電力モード（休止モード(sleep mode)またはスロット・モード・バッテリ節約とも呼ばれる）に維持される。コントローラ１１６は、アクティブ・モードに入ると、応答に基づいて最も強いＤＳ−ＣＤＭＡパイロット信号を識別する。
【００３３】
用途によっては、無線電話機１０４は、初期電波および反射電波即ち時間遅延電波の双方を受信する領域にいる場合がある。図示の実施例の受信探索子１１４は、基地局から発した１つ以上の電波を検出するように構成されている。コントローラ１１６は、応答に応じて１つ以上の最も強い電波を識別し、この１つ以上の最も強い電波に、レーキ受信機１１２の各受信フィンガを割り当てる。また、コントローラ１１６は、応答に基づいて、ある基地局からの最も強い電波を識別するように構成されている。コントローラ１１６は、レーキ受信機１１２の受信フィンガを最も強い電波に割り当てる。続いて、同一の応答から、コントローラ１１６は基地局からの０本以上の強い電波を識別し、この０本以上の強い電波に、０個以上の各受信フィンガを割り当てる。
【００３４】
他の用途では、無線電話機１０４は、１カ所よりも多い基地局からパイロット・チャネル・エネルギを受信する領域に位置する。受信探索子１１４は、複数のパイロット信号を同様の複数の基地局から検出するように構成され、コントローラ１１６は応答に基づいて２つ以上の最も強いパイロット信号を識別する。コントローラ１１６は、レーキ受信機１１２の各受信フィンガを、２本以上の最も強い電波に割り当て、トラフィック・チャネル上にある間、ソフト・ハンドオフを制御する。
【００３５】
次に図２を参照する。図２は、システム獲得の間、図１のＣＤＭＡ通信システム１００を動作させる方法を示すフロー・チャートである。この方法はステップ２００から開始する。ステップ２０２において、無線電話機１０４の動作を開始する。例えば、無線電話機１０４への動作電力をオンにするか、あるいはいずれかの方法で無線電話機１０４を通信システム１００に加入させる。この時点で、無線電話機１０４はシステムの識別および獲得を行おうとする。
【００３６】
ステップ２０４において、無線電話機１０４はＲＦチャネルに同調する。アナログ・フロント・エンド１０８を用いて、特定のＲＦチャネルを選択する。ＲＦチャネルは、ＩＳ−９５のようなシステム・プロトコルに準拠して、通信システム１００によって予め規定しておくことができる。あるいは、ＲＦチャネルは、１８００ＭＨｚ周囲で動作する多くのＰＣＳシステムの場合のように、１つ以上の周波数範囲のどこかに位置付ければよい。
【００３７】
ステップ２０６において、受信探索子１１４はＰＮの整合を求める。受信探索子１１４は、コントローラ１１６の制御の下で、ＡＤＣ１１０が供給する受信データ・ストリームを検査する。データは、基地局１０２のような１カ所以上の基地局から受信した拡散ＲＦ信号に対応する検出ＰＮシーケンスを含む。マッチド・フィルタ１２８は、検出ＰＮシーケンスを所定のＰＮシーケンスと比較し、応答を生成する。この応答は、メモリ１３０またはメモリ１３２、あるいは別のどこかに格納すればよい。所定のＰＮシーケンスは、無線電話機１０４の、例えば、メモリ１３０またはメモリ１３２に保持されている。所定のＰＮシーケンスは、例えば、５１２チップ長である。マッチド・フィルタ１２８は、所定の時間内に、受信可能な全基地局からの送信のパイロット・エネルギを捕獲する。通信システム１００のようなＩＳ−９５ＤＳ−ＣＤＭＡ通信システムに好適な所定の時間は、２６−２／３ミリ秒であり、これはＩチャネルおよびＱチャネルを拡散する際に用いられるＰＮシーケンスの全位相の繰り返しに必要な時間である。マッチド・フィルタ１２８は、ＩチャネルまたはＱチャネルのいずれかを検査すればよい。あるいは、マッチド・フィルタ１２８は、Ｉチャネル用にＩチャネル・マッチド・フィルタ，およびＱチャネル用にＱチャネル・マッチド・フィルタを含み、２つのマッチド・フィルタの出力を結合して、精度向上を図ることも可能である。
【００３８】
ステップ２０８において、無線電話機１０４は、ＤＳ−ＣＤＭＡシステムが存在するか否かについて判定を行う。コントローラ１１６は、マッチド・フィルタ１２８が生成した応答を検査する。ＤＳ−ＣＤＭＡシステムが存在する場合、応答は、無線電話機１０４の付近にある基地局の位相に対応する強い整合指示を含む。応答は整合集合(match set) を含むこともある。これは、緊密にクラスタ化(clustered) された２つ以上の強い整合指示である。これらの強い整合指示は、単一の基地局から時間的に遅れて受信された多数の強い電波に対応する。整合集合は、２５チップのように、互いの予め規定したチップ距離（即ち、時間）内にある。単一の強い整合指示または整合集合が存在することは、ＤＳ−ＣＤＭＡが存在することを示す。
【００３９】
ＤＳ−ＣＤＭＡが存在しない場合、ステップ２１０において、無線電話機１０４は、全てのＲＦチャネルを使い果たしたか否かについて判定を行う。ＤＳ−ＣＤＭＡシステムによっては、システム獲得のために２本以上のＲＦチャネルを予め規定している場合もある。ＣＤＭＡエネルギに対して全てを検査していない場合、ステップ２１２において、無線電話機１０４を別のＲＦチャネルに同調させ、制御はステップ２０６に戻り、マッチド・フィルタ１２８によるパイロット信号の検出を行う。
【００４０】
ステップ２１０において全ＲＦチャネルを使い果たしていた場合、ステップ２１４において、無線電話機１０４がマルチモード無線機であるか否かについて判定を行う。用途によっては、無線電話機１０４は、通信システム１００のようなＤＳ−ＣＤＭＡシステム以外のシステムにおいて動作するために必要な回路を含む場合もある。他に可能性のあるシステムには、ＡＭＰＳ(Advanced Mobile Phone system ：先進移動電話システム) ，ＧＳＭ(Global System for Mobile communication ：移動通信用全地球システム) システム，North American Digital Cellular （北アメリカ・デジタル・セルラ）またはJapan Digital Cellular（日本デジタル・セルラ）システムのようなＴＤＭＡ（時分割多重アクセス）システム，Iridium, LLCによって提案されたIridium システムのような衛星システム，またはＤＥＣＴ(Digital Extended Cordless Telephone：デジタル拡張コードレス電話) やＰＨＳ(Personal Handyphone System ：パーソナル・ハンディフォン・システム) のようなコードレス・システムが含まれる。無線電話機１０４がマルチモード無線機ではない場合、制御はステップ２０４に戻り、ＣＤＭＡシステムの探索を続ける。あるいは、この方法は、タイム・アウトを設けたり、さもなければ終了させることによって無線電話機１０４内のバッテリ電力を保存する。無線電話機１０４がマルチモード無線機である場合、ステップ２１６において、無線電話機１０４は、ＤＳ−ＣＤＭＡシステム以外のシステムを探し出そうとする。
【００４１】
ステップ２０８において、無線電話機器１０４が、ＣＤＭＡシステムが存在すると判定した場合、コントローラ１１６は、最も強い電波または最も強い整合集合のいずれかに、受信フィンガを割り当てる。単一の電波が識別された場合、受信フィンガ１２２のような単一の受信フィンガがこの電波に割り当てられ、この電波を受信する。多数の電波が識別された場合、受信フィンガ１２２および受信フィンガ１２４のように多数の受信フィンガがこれらの電波に割り当てられ、これらの電波を受信する。
【００４２】
ステップ２２０において、無線電話機１０４は同期チャネルを検出し、システム同期を獲得する。同期チャネルに応答して、無線電話機１０４のタイミングを、この同期チャネルを送信した基地局のタイミングに同期させる。ステップ２２２において、無線電話機１０４は、この基地局によって同報通信されたページング・チャネルを獲得する。ページング・チャネルは、基地局と通信する全移動局を対象とする、システム・パラメータ・メッセージと呼ばれるシステム情報を含む。また、ページング・チャネルは、ページまたは無線電話機１０４に送出される他の情報を含む場合もある。ステップ２２４において、システム・パラメータ・メッセージ内のデータが格納され、ステップ２２６において無線電話機１０４はアイドル・モードに入る。アイドル・モードでは、無線電話機は、基地局から受信した１つ以上の電波を含むＲＦ信号を監視し、ページング・チャネルを受信する目的のために、最も強い受信電波に受信フィンガを割り当てる。
【００４３】
次に図３を参照する。図３は、アイドル・モードの間、図１のＣＤＭＡ通信システムを動作させる方法を示すフロー・チャートである。この方法はステップ３００から開始する。
【００４４】
ステップ３０２において、受信探索子１１４は、ＡＤＣ１１０から供給された受信データ・ストリームにおいてＰＮの整合を求める。図示の実施例では、受信探索子１１４は、２６−２／３ミリ秒に等しい時間、受信データ・ストリームをマッチド・フィルタ１２８に印加する。この時間は、ＩチャネルおよびＱチャネルを拡散する際に用いられるＰＮシーケンスの全位相の繰り返しに要する時間である。マッチド・フィルタ１２８は、受信データ・ストリーム内の検出ＰＮシーケンスを所定のＰＮシーケンスと比較し、比較結果を応答として格納する。この応答はメモリ１３０またはメモリ１３２に格納される。応答は断続的に更新されるので、二重バッファするとよい。即ち、マッチド・フィルタ１２８が現探索からの応答をあるメモリ位置集合に書き込み、コントローラ１１６が別のメモリ位置集合から最新の探索からの応答を読み出す。受信探索子１１４の動作は連続的であり、図３に示す方法の残りの部分の動作とは独立している。
【００４５】
ステップ３０４において、コントローラ１１６は、格納されている応答を検査する。コントローラは、格納されている応答に応答して、受信フィンガ１２２，受信フィンガ１２４および受信フィンガ１２６を含む複数の受信フィンガを制御する。即ち、コントローラ１１６は、最新の探索応答の最も強い整合集合に受信フィンガを割り当てる。整合集合は、単一の基地局から送信された１つ以上の最も強い電波を含む場合もある。
【００４６】
ステップ３０６において、無線電話機１０４は、基地局から同報通信されたページング・チャネルを受信する。ステップ３０８において、無線電話機１０４は、このページング・チャネルが無線電話機１０４に宛てたページを含むか否かについて判定を行う。含む場合、ステップ３１０において、無線電話機１０４はアクセス状態に入り、基地局との双方向通信を開始する。かかる動作は、通信システム１００を制御する、ＩＳ−９５のような通信プロトコルに準拠するものである。ページング・チャネルが無線電話機１０４に宛てたページを含まない場合、ステップ３１２において、無線電話機１０４は、このページング・チャネルが、システムを制御するための新たなパラメータを含むか否かについて判定を行う。含む場合、ステップ３１４において、パラメータを無線電話機１０４に格納し、制御はステップ３１６に進む。新たなパラメータがページング・チャネルに含まれていない場合、制御は直接ステップ３１６に移行する。
【００４７】
ステップ３１６において、無線電話機１０４は、休止モードに入るべきか否かについて判定を行う。休止モードは、バッテリの消費を低減することによりバッテリの長寿命化を図るための低電力モードである。休止モードでは、アナログ・フロント・エンド１０８，ＡＤＣ１１０，レーキ受信機１１２，送信路回路１１８およびＤＡＣ１２０（図１）のような、高電力回路素子には給電を停止する。無線電話機１０４が休止モードに入るべきでない場合、制御はステップ３０４に戻り、コントローラ１１６は、受信探索子１１４によって格納された最新の探索応答を再度検査し、それにしたがって受信フィンガを割り当てる。その他の場合、ステップ３１８において、無線電話機１０４は所定時間休止モードに入る。ＩＳ−９５によれば、休止モードは１．２８秒間、またはその２のべき乗の倍数だけ続く。
【００４８】
ステップ３２０において、無線電話機１０４は、休止モードから出るべきか否かについて判定を行う。休止タイマは、休止モードの持続時間を計時するように維持される。タイマが終了した場合、制御はステップ３２２に移行し、無線電話機１０４は、アナログ・フロント・エンド１０８、ならびにＡＤＣ１１０，レーキ受信機１１２および受信探索子１１４を含む受信経路を起動する。これらの素子は、電力をこれらに供給することによって、「起動(wakened) 」する。次に、制御はステップ３０２に移り、受信探索子１１４はパイロット・エネルギを探し出そうとする。未だ休止モードから出る時間ではない場合、制御はステップ３１８に戻り、無線電話機１１４は休止モードに留まる。
【００４９】
図４は、呼モードの間の、図１のＣＤＭＡ通信システム１００の動作を示すフロー・チャートである。呼モードでは、無線電話機１０４および基地局１０２はトラフィック・チャネルを用いて双方向通信を行っている。加えて、無線電話機１０４は、近隣にある他の基地局のパイロット信号を監視し、強いパイロット信号を有する基地局を報告することにより、ソフト・ハンドオフのプロセスを開始しようとしている。ソフト・ハンドオフでは、無線電話機は１カ所以上の基地局と通信する。システムはパイロット信号強度報告を用いて、ソフト・ハンドオフを設定すべきか、維持すべきかまたは解除(tear down) すべきかについて判定を行う。
【００５０】
この方法はステップ４００から開始する。ステップ４０２において、無線電話機１０４は、呼モードに入り、基地サイトと双方向通信を行う。
【００５１】
ステップ４０４およびステップ４０６は連続的に、かつ本方法の残りの部分とは独立して行われる。ステップ４０４において、受信探索子１１４はマッチド・フィルタ１２８を用いて、ＡＤＣ１１０からのデータ・ストリーム内に受信されている検出ＰＮシーケンス、および無線電話機１０４に格納されている所定のＰＮシーケンス間の整合を調べる。ステップ４０６において、マッチド・フィルタ１２８の応答がメモリ１３０またはメモリ１３２に格納される。図示の実施例では、２６−２／３ｍｓの持続時間の応答が二重バッファされ、マッチド・フィルタ１２８は現探索結果を第１のメモリ位置集合に格納し、コントローラ１１６は直前の探索結果を第２のメモリ位置集合から読み出す。
【００５２】
ステップ４０８において、コントローラ１１６はマッチド・フィルタ１２８によって生成された応答を読み出し、無線電話機１０４と現在通信中の基地局からの最も強い整合集合に、レーキ受信機１１２のレーキ・フィンガを割り当てる。この決定は、主に、マッチド・フィルタ１２８によって格納されたパイロット・チャネル・エネルギの記録にしたがって行われる。一例では、無線電話機１０４は単一の基地局と通信し、この基地局からの単一の強い電波を受信する。その場合、受信フィンガ１２２のような単一の受信フィンガのみがその電波に割り当てられる。他の例では、無線電話機１０４は単一の基地局と通信しているが、この基地局から複数の電波を受信する。その場合、電波がトラフィック・チャネルの検出に使用可能なエネルギを与える限り、多数の受信フィンガが多数の電波に割り当てられる。更に他の例では、無線電話機１０４は第１基地局から１つ以上の電波を受信し、第２基地局からも１つ以上の電波を受信する。その場合、無線電話機１０４は、第１基地局からの最も強い整合集合および第２基地局からの最も強い整合集合に受信フィンガを割り当てる。
【００５３】
ステップ４１０において、無線電話機１０４は、無線電話機１０４が未だ通信していない他の基地局から他の強い整合があるか否かについて判定を行う。即ち、無線電話機１０４は、受信した電波の強度が、他の基地局との可能なソフト・ハンドオフを保証する程に十分であるか否かについて判定を行う。否定の場合、制御はステップ４０８に戻り、コントローラ１１６による受信フィンガの保守を行う。他の基地局からの強い整合がある場合、ステップ４１２において、無線電話機１０４は、無線電話機１０４におけるパイロット信号の受信信号強度を示すパイロット強度メッセージを送る。また、無線電話機１０４が通信している基地サイトからの永続的な弱い応答も、パイロット強度メッセージ内で報告される。パイロット強度メッセージは、通信システム１００がソフト・ハンドオフの制御を行うために用いる。続いて、制御はステップ４０８に戻り、コントローラ１１６による受信フィンガの保守が行われる。
【００５４】
図５は、図１のマッチド・フィルタ１２８の別の実施例のブロック図である。受信探索子１１４がＰＮの整合（図２、ステップ２０６）を求める場合、５１２チップの整合が不正確な応答を与える可能性がある。これが発生する可能性があるのは、受信機１０４が同調しているＲＦ周波数が、基地局（群）によって送信されるＲＦ周波数から余りに離れている場合である。
【００５５】
周波数に同調するために、無線電話機１０４のような無線機は、従来通りにクリスタル発振器を含む。クリスタル発振器は所定周波数の出力信号を供給し、これを用いてアナログ・フロント・エンド１０８を同調させる。しかしながら、クリスタル発振器の出力周波数は、温度や経年変化のようなファクタによって変動する。このために同調精度の低下を招く可能性があるので、この変動を補償するための技法が開発された。その一例は、無線電話機１０４および基地局１０２間で通信が開始された後に、例えば、基地局１０２からの既知の周波数を有する受信信号に同期させることによって補償するというものである。ＣＤＭＡシステム獲得の前に、受信機１０４はそれ自体のクリスタル発振器の周波数精度を有するに過ぎない。この精度は、温度および経年変化の変動を含み、典型的に２．５ｐｐｍである。例えば９００ＭＨｚでは、周波数のずれの最大値は２２５０Ｈｚである。この精度では、無線電話機１０４における同調受信周波数および基地局１０２における送信周波数間で周波数のずれを起こす可能性がある。
【００５６】
周波数のずれは、その周波数のずれに等しい割合で変調の位相回転が生じる原因となる。１８０度の位相回転があると、＋１の値を有して送信されるチップは、−１の値を有して受信されることになる。したがって、従来の探索方法においてチップを加算する場合、またはマッチド・フィルタを用いる場合、加算および整合可能な連続チップ数には、実際上限界がある。
【００５７】
２２５０Ｈｚの周波数ずれがある場合、１１１．１ミリ秒で９０度の位相回転が生ずる。ＩＳ−９５を基本とするシステムにおけるチップは、時間長が０．８１３８ミリ秒である。したがって、１１１．１ミリ秒では１３６．５回チップが発生するので、位相のコヒーレンスを維持しつつ安全に加算または整合が可能なのは１３６チップである。
【００５８】
５１２チップを整合すべき場合、９０度の位相回転に対する最大の周波数ずれは６００Ｈｚである。この要件は、ＣＤＭＡシステムの獲得、および受信機１０４の同調周波数を基地局の送信周波数に固定した後では、容易に満たすことができる。しかしながら、システム獲得の前では、６００Ｈｚより大きな周波数ずれがある場合に５１２チップの整合応答精度を得るには、他の手段が必要となる。図５では、Ｉフィルタ１４０は、マッチド・フィルタ５０２，マッチド・フィルタ５０４，マッチド・フィルタ５０６およびマッチド・フィルタ５０８を含む、多数のマッチド・フィルタから成る。同様に、Ｑフィルタ１４２も、マッチド・フィルタ５１０，マッチド・フィルタ５１４，マッチド・フィルタ５１６およびマッチド・フィルタ５１８を含む、多数のマッチド・フィルタから成る。各集合の最初のマッチド・フィルタ、即ち、Ｉフィルタ１４０のマッチド・フィルタ５０２およびＱフィルタ１４２のマッチド・フィルタ５１０は、入力がＡＤＣ１１０に結合され、ＩＰＮシーケンスおよびＱＰＮシーケンスをそれぞれ受信する。各集合内の後続のマッチド・フィルタは、各々、直前のマッチド・フィルタの出力に入力が結合され、検出されたＰＮシーケンスを後の時点で受信し、整合を行う。
【００５９】
各マッチド・フィルタは、検出されたＰＮシーケンスの一部および所定のＰＮシーケンスを比較し、各応答を生成する。各マッチド・フィルタは、それぞれの出力が加算素子５２０に結合されている。加算素子５２０は、各フィルタの応答を結合し、総合的な応答を生成する。この総合的な応答をメモリ５２２に格納する。
【００６０】
図示の実施例では、Ｉフィルタ１４０およびＱフィルタ１４２は各々４つのマッチド・フィルタから成る。勿論、ハードウエアの複雑性の受容レベル，整合すべきチップ数，およびその他のファクタにしたがって、あらゆる数のマッチド・フィルタでも備えることができる。４つのマッチド・フィルタを備え５１２チップの整合を行う場合、検出されたＩＰＮシーケンスの内最初に受信された１２８チップはマッチド・フィルタ５０８において整合し、ＩＰＮシーケンスの内２回目に受信された１２８チップはマッチド・フィルタ５０６において整合し、ＩＰＮシーケンスの内３回目に受信された１２８チップはマッチド・フィルタ５０４において整合し、ＩＰＮシーケンスの内最後に受信された１２８チップはマッチド・フィルタ５０２において整合する。同様に、検出されたＱＰＮシーケンスの内最初に受信された１２８チップはマッチド・フィルタ５１８において整合し、ＱＰＮシーケンスの内２回目に受信された１２８チップはマッチド・フィルタ５１６において整合し、ＱＰＮシーケンスの内３回目に受信された１２８チップはマッチド・フィルタ５１４において整合し、ＱＰＮシーケンスの内最後に受信された１２８チップはマッチド・フィルタ５１０において整合する。受信されたチップは、例えば、チップ・クロック信号を用いて、マッチド・フィルタ全てに順次送り込む。各クロック時間において、加算素子５２０はメモリ５２２に応答を供給する。したがって、マッチド・フィルタは、チップ整合長が短い多数のマッチド・フィルタに分割され、６００Ｈｚよりも大きい周波数ずれがあっても、５１２チップの整合応答精度が得られる。
【００６１】
過度の周波数ずれがあっても、例えば、５１２チップの整合応答特性を維持するための第２の代替実施例は、更に短いチップ長のマッチド・フィルタを用い、連続する２６−２／３ミリ秒のＰＮシーケンス時間からの出力を結合するというものである。例えば、図１に示す実施例を再び参照するが、この代替実施例を用いて５１２チップの整合を行うために、Ｉフィルタ１４０およびＱフィルタ１４２の各々の長さを１２８チップとする。第１の２６−２／３ミリ秒のＰＮシーケンス時間の間、第１の１２８チップが各フィルタによって整合され、その応答が格納される。第２の２６−２／３ミリ秒のＰＮシーケンス時間の間、第２のチップが各フィルタによって整合され、その応答が格納されるか、あるいは第１の応答と結合される。続いて、第３および第４の１２８チップが整合され、それらの応答が第１および第２の応答と結合され、総合的な応答を生成する。
【００６２】
このように、マッチド・フィルタは、所定数の連続整合処理からの応答を結合し、総合的な応答を生成する。
【００６３】
第２の代替実施例は、図５に示した実施例の精度と同様の精度を提供する。第２の代替実施例は、ハードウエアの複雑性を軽減するが、整合には約４倍の時間、即ち、４ｘ２６−２／３ミリ秒＝１０６−２／３ミリ秒を要する。この処理能力でも、ＣＤＭＡシステム獲得の初期プロセスの間であれば満足できるものである。
【００６４】
以上の説明からわかるように、本発明は、移動局におけるマッチド・フィルタを用いた高速パイロット・チャネル獲得方法および装置を提供する。受信探索子１１４はマッチド・フィルタ１２８を含み、検出されたＰＮシーケンスを所定のＰＮシーケンスと比較し、比較結果を格納する。比較は、ＩチャネルおよびＱチャネルに対する基地局のＰＮシーケンスの繰り返しレートに対応する、２６−２／３ｍｓ毎に完了することができる。比較は、移動局における他のプロセスには独立して、連続的に繰り返される。このプロセスを用いると、２６−２／３ｍｓの探索時間以内に、ＣＤＭＡエネルギを確実に検出し受信フィンガを割り当てることができるので、従来の受信探索子では必要であった探索時間を大幅に短縮するという効果がある。また、このプロセスは、アイドル・モード・ハンドオフ，スロット・モード動作およびソフト・ハンドオフの間、パイロット・チャネル探索時間を短縮することによって、移動局の処理能力を改善するという効果もある。
【００６５】
以上、本発明の特定実施例について示しかつ説明したが、修正も可能である。したがって、本発明の真の精神および範囲に該当するかかる変更および修正は全て、特許請求の範囲に含まれることを意図するものである。
【図面の簡単な説明】
【図１】ＣＤＭＡ通信システムのブロック図。
【図２】システム獲得における図１のＣＤＭＡ通信システムの動作を示すフロー・チャート。
【図３】アイドル・モードにおける図１のＣＤＭＡ通信システムの動作を示すフロー・チャート。
【図４】呼モードにおける図１のＣＤＭＡ通信システムの動作を示すフロー・チャート。
【図５】図１のマッチド・フィルタの別の実施例のブロック図。
【符号の説明】
１００    通信システム
１０２    基地局
１０４    無線電話機
１０６    アンテナ
１０８    アナログ・フロント・エンド
１１０    アナログ／デジタル変換器（ＡＤＣ）
１１２    レーキ受信機
１１４    受信探索子
１１６    コントローラ
１１８    送信路回路
１２０    デジタル／アナログ変換器
１２２，１２４，１２６    受信フィンガ
１２８    マッチド・フィルタ
１３０    メモリ
１３２    メモリ
１３４    クロック
１４０    Ｉフィルタ
１４２    Ｑフィルタ
１４４    加算素子
１４６    比較器
５０２，５０４，５０６    Ｉマッチド・フィルタ
５１０，５１４，５１６    Ｑマッチド・フィルタ
５２０    加算素子
５２２    メモリ
【図１】
0004057111.tif 000002
【図２】
0004057111.tif 000003
【図３】
0004057111.tif 000004
【図４】
0004057111.tif 000005
【図５】
0004057111.tif 000006